【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  端末装置にコンテンツデータを提供する情報処理装置であって、
複数の前記コンテンツデータを記憶するコンテンツデータ記憶手段と、
前記コンテンツデータ記憶手段に記憶される前記コンテンツデータを複数の前記端末装置に送信するとともに、送信した前記コンテンツデータに対する各ユーザの入力情報を受信する通信手段と、
前記通信手段により受信された前記入力情報を前記ユーザ毎に記憶する入力情報記憶手段と、
前記入力情報記憶手段に記憶されるターゲットユーザの前記入力情報に類似する類似ユーザの前記入力情報に基づいて前記ターゲットユーザの嗜好を解析する解析手段と、
前記解析手段による解析結果に応じて、前記端末装置に送信する前記コンテンツデータを加工する加工手段と
を備えることを特徴とする情報処理装置。
【請求項２】  前記加工手段は、前記解析手段による解析結果に応じて、前記コンテンツデータの内容を変更する
ことを特徴とする請求項１に記載の情報処理装置。
【請求項３】  前記加工手段は、前記解析手段による解析結果に応じて特定された前記コンテンツデータとしての電子ブックデータの内容を、少なくとも書籍名と著者名を含むタイトル情報のみの電子ブックデータから、前記タイトル情報と本文内容の一部とから構成される電子ブックデータに変更する
ことを特徴とする請求項２に記載の情報処理装置。
【請求項４】  前記加工手段は、前記解析手段による解析結果に応じて特定された前記コンテンツデータとしての電子ブックデータの少なくとも一部のテキストのフォントを大きくする
ことを特徴とする請求項３に記載の情報処理装置。
【請求項５】  前記加工手段は、前記解析手段による解析結果に応じて特定された前記コンテンツデータとしての電子ブックデータに画像情報を追加する
ことを特徴とする請求項３に記載の情報処理装置。
【請求項６】  前記加工手段は、前記解析手段による解析結果に応じて特定された前記コンテンツデータとしての電子ブックデータに、レコメンドする前記タイトル情報のリストを追加する
ことを特徴とする請求項３に記載の情報処理装置。
【請求項７】  前記コンテンツデータ記憶手段は、複数の画像データを記憶し、
前記通信手段は、前記各ユーザにより指示された前記画像データ内の位置情報を受信する
ことを特徴とする請求項１に記載の情報処理装置。
【請求項８】  前記解析手段は、
前記入力情報記憶手段に記憶される前記ターゲットユーザの前記位置情報により表される位置の周辺の画像領域を指示したことを示す前記類似ユーザの前記位置情報を抽出する抽出手段を備える
ことを特徴とする請求項７に記載の情報処理装置。
【請求項９】  前記抽出手段は、
前記入力情報記憶手段に記憶される前記ターゲットユーザの前記位置情報により表される位置の周辺の画像の特徴に類似する画像領域を指示したことを示す前記類似ユーザの前記位置情報を抽出する
ことを特徴とする請求項８に記載の情報処理装置。
【請求項１０】  前記加工手段は、前記抽出手段により抽出された前記類似ユーザの前記位置情報に基づいて特定された前記画像データの一部の画質を、前記画像データの他部の画質よりも高質にする
ことを特徴とする請求項９に記載の情報処理装置。
【請求項１１】  前記加工手段は、
前記抽出手段により抽出された前記類似ユーザの前記位置情報に基づいて特定された前記画像データを所定ブロック単位でクラス分類するクラス分類手段と、
前記所定ブロック単位でクラス分類された低質画像の当該ブロック内の複数の画素データの線形一次結合により高質画像の一部の画素データを算出するための各クラス毎の係数セットを予め記憶している係数記憶手段と、
前記抽出手段により抽出された前記類似ユーザの前記位置情報に基づいて特定された前記画像データのブロック内の画素データと、前記クラス分類手段により分類されたクラスに対応する前記係数記憶手段に記憶されている前記係数セットとの線形一次結合により演算される前記画像データよりも高質な画像データを出力する適応処理手段と
を備えることを特徴とする請求項１０に記載の情報処理装置。
【請求項１２】  前記加工手段は、前記抽出手段により抽出された前記類似ユーザの前記位置情報に基づいて、前記画像データの他部の画質を低質にする
ことを特徴とする請求項１１に記載の情報処理装置。
【請求項１３】  前記加工手段は、
前記抽出手段により抽出された前記類似ユーザの前記位置情報に基づいて、前記画像データからオブジェクト画像データを抽出するオブジェクト画像データ抽出手段と、
前記画像データから前記オブジェクト画像データ抽出手段により抽出された前記オブジェクト画像データを削除することにより背景画像データを抽出する抽出手段と
を備えることを特徴とする請求項８に記載の情報処理装置。
【請求項１４】  前記コンテンツデータを放送フォーマットに変換する変換手段をさらに備え、
前記通信手段は、前記変換手段により変換された前記コンテンツデータを複数の前記端末装置に配信する
ことを特徴とする請求項１に記載の情報処理装置。
【請求項１５】  前記コンテンツデータを圧縮し、圧縮データを出力する変換手段をさらに備え、
前記通信手段は、前記変換手段により変換された前記圧縮データを前記端末装置に配信する
ことを特徴とする請求項１に記載の情報処理装置。
【請求項１６】  前記通信手段は、前記変換手段により変換された前記圧縮データをＵＤＰ／ＩＰで前記端末装置に配信する
ことを特徴とする請求項１５に記載の情報処理装置。
【請求項１７】  端末装置にコンテンツデータを提供する情報処理方法であって、
複数の前記コンテンツデータを記憶するコンテンツデータ記憶手段に記憶される前記コンテンツデータを複数の前記端末装置に送信するステップと、
送信された前記コンテンツデータに対する各ユーザの前記入力情報を受信するステップと、
受信された前記入力情報を前記ユーザ毎に記憶するステップと、
記憶されるターゲットユーザの前記入力情報に類似する類似ユーザの入力情報に基づいて前記ターゲットユーザの嗜好を解析するステップと、
前記ターゲットユーザの嗜好の解析結果に応じて、前記端末装置に送信する前記コンテンツデータを加工するステップと
を含むことを特徴とする情報処理方法。
【請求項１８】  端末装置にコンテンツデータを提供する情報処理を、コンピュータに行わせるプログラムが記録されている記録媒体であって、
複数の前記コンテンツデータを記憶するコンテンツデータ記憶手段に記憶される前記コンテンツデータを複数の前記端末装置に送信するステップと、
送信された前記コンテンツデータに対する各ユーザの前記入力情報を受信するステップと、
受信された前記入力情報を前記ユーザ毎に記憶するステップと、
記憶されるターゲットユーザの前記入力情報に類似する類似ユーザの入力情報に基づいて前記ターゲットユーザの嗜好を解析するステップと、
前記ターゲットユーザの嗜好の解析結果に応じて、前記端末装置に送信する前記コンテンツデータを加工するステップと
を含むプログラムが記録されている
ことを特徴とする記録媒体。
【手続補正２】
【補正対象書類名】明細書
【補正対象項目名】００１０
【補正方法】変更
【補正の内容】
【００１０】
【課題を解決するための手段】
本発明の情報処理装置は、複数のコンテンツデータを記憶するコンテンツデータ記憶手段と、コンテンツデータ記憶手段に記憶されるコンテンツデータを複数の端末装置に送信するとともに、送信したコンテンツデータに対する各ユーザの入力情報を受信する通信手段と、通信手段により受信された入力情報をユーザ毎に記憶する入力情報記憶手段と、入力情報記憶手段に記憶されるターゲットユーザの入力情報に類似する類似ユーザの入力情報に基づいてターゲットユーザの嗜好を解析する解析手段と、解析手段による解析結果に応じて、端末装置に送信するコンテンツデータを加工する加工手段とを備えることを特徴とする。
【手続補正３】
【補正対象書類名】明細書
【補正対象項目名】００１１
【補正方法】変更
【補正の内容】
【００１１】
本発明の情報処理方法は、複数のコンテンツデータを記憶するコンテンツデータ記憶手段に記憶されるコンテンツデータを複数の端末装置に送信するステップと、送信されたコンテンツデータに対する各ユーザの入力情報を受信するステップと、受信された入力情報をユーザ毎に記憶するステップと、記憶されるターゲットユーザの入力情報に類似する類似ユーザの入力情報に基づいてターゲットユーザの嗜好を解析するステップと、ターゲットユーザの嗜好の解析結果に応じて、端末装置に送信するコンテンツデータを加工するステップとを含むことを特徴とする。
【手続補正４】
【補正対象書類名】明細書
【補正対象項目名】００１２
【補正方法】変更
【補正の内容】
【００１２】
本発明の記録媒体は、複数のコンテンツデータを記憶するコンテンツデータ記憶手段に記憶されるコンテンツデータを複数の端末装置に送信するステップと、送信されたコンテンツデータに対する各ユーザの入力情報を受信するステップと、受信された入力情報をユーザ毎に記憶するステップと、記憶されるターゲットユーザの入力情報に類似する類似ユーザの入力情報に基づいてターゲットユーザの嗜好を解析するステップと、ターゲットユーザの嗜好の解析結果に応じて、端末装置に送信するコンテンツデータを加工するステップとを含むプログラムが記録されていることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
本発明の情報処理装置および情報処理方法、並びに記録媒体においては、複数のコンテンツデータが記憶され、コンテンツデータ記憶手段に記憶されるコンテンツデータが複数の端末装置に送信されるとともに、送信されたコンテンツデータに対する各ユーザの入力情報が受信され、受信された入力情報がユーザ毎に記憶され、記憶されるターゲットユーザの入力情報に類似する類似ユーザの入力情報に基づいてターゲットユーザの嗜好が解析され、ターゲットユーザの嗜好の解析結果に応じて、端末装置に送信するコンテンツデータが加工される。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】０２８８
【補正方法】変更
【補正の内容】
【０２８８】
【発明の効果】
本発明の情報処理装置および情報処理方法、並びに記録媒体によれば、複数のコンテンツデータが記憶され、コンテンツデータ記憶手段に記憶されるコンテンツデータが複数の端末装置に送信されるとともに、送信されたコンテンツデータに対する各ユーザの入力情報が受信される。受信された入力情報がユーザ毎に記憶され、記憶されるターゲットユーザの入力情報に類似する類似ユーザの入力情報に基づいてターゲットユーザの嗜好が解析される。ターゲットユーザの嗜好の解析結果に応じて、端末装置に送信するコンテンツデータが加工される。従って、端末装置に対して、付加価値をつけたコンテンツデータの提供が可能となる。
【手続補正１７】
【補正対象書類名】明細書
【補正対象項目名】０２８９
【補正方法】削除
【補正の内容】
【手続補正１８】
【補正対象書類名】明細書
【補正対象項目名】０２９０
【補正方法】削除
【補正の内容】
【手続補正１９】
【補正対象書類名】明細書
【補正対象項目名】０２９１
【補正方法】削除
【補正の内容】